(57)【特許請求の範囲】
【請求項１】
改札処理に必要な改札情報を有する券媒体の発行指示を受け付ける指示手段と、
前記指示手段を介して発行指示を受け付けたのに基づいて、特定波長範囲の光によって読み取り可能な固有の識別子を有する原券媒体に対して、前記特定波長範囲の光を照射して前記識別子を読み取る読取手段と、
前記読取手段により読み取られた前記識別子によって得られた値を鍵として、改札情報を暗号化した二次元コードを作成する二次元コード作成手段と、
前記二次元コード作成手段により作成された二次元コードを前記原券媒体に印刷する印刷手段と、
を備えたことを特徴とする券媒体処理装置。
【請求項２】
さらに、乗車区間を含む改札情報の入力を受け付ける入力手段を備えたことを特徴とする請求項１に記載の券媒体処理装置。
【請求項３】
改札処理に必要な改札情報を有する券媒体の発行指示を受け付け、
発行指示を受け付けたのに基づいて、特定波長範囲の光によって読み取り可能な固有の識別子を有する原券媒体に対して、前記特定波長範囲の光を照射して前記識別子を読み取り、
読み取った前記識別子により得られた値を鍵として、改札情報を暗号化した二次元コードを作成し、
作成した二次元コードを前記原券媒体に印刷する、
ことを特徴とする券媒体処理方法。
【発明の詳細な説明】
【技術分野】
【０００１】
この発明は、二次元コードを有する券媒体を処理する券媒体処理装置及び券媒体処理方法に関する。
【背景技術】
【０００２】
近年、改札処理の省力化を目的として、改札機が導入されている。この改札機は、利用者が駅構内や遊戯施設などの施設内に入場する場合や、施設内から出場する場合などに、入場券や乗車券などの券媒体の改札情報に基づいて入場処理または出場処理といった改札処理を行う。
【０００３】
このような改札機を利用するための券媒体としては、改札情報を磁気情報として記録した磁気式の券媒体や、改札情報を記憶したメモリを有し改札機との間で無線通信が可能な券媒体（ＩＣチップを内蔵したＩＣカードや携帯端末機器などを含む）などが実用化されている。
【０００４】
例えば、特許文献１には、券媒体として、二次元バーコードからなる券情報を有する携帯端末機器、二次元バーコードが印刷された媒体を利用し、入出場処理等を行う券情報処理システムが開示されている。特に、ここでは、券媒体が乗車券として利用される場合に、中央管理装置で生成された乗車券情報が当該乗車券で入場できる乗車区間の全駅に配信され、入場時には二次元バーコードを用いた入場が行われた旨の情報つまりネガティブ情報が全入場可能駅に配信され、出場時には二次元バーコードを用いた出場が行われた旨の情報つまりネガティブ情報が全出場可能駅に配信されることで、不正な使用を防止する技術が開示されている。
【先行技術文献】
【特許文献】
【０００５】
【特許文献１】特開２００６−５９２４９号公報
【発明の概要】
【発明が解決しようとする課題】
【０００６】
この発明の目的は、複製困難な券媒体の発行及びこの券媒体を用いた改札処理を可能とする券媒体処理装置及び券媒体処理方法を提供することにある。
【課題を解決するための手段】
【０００７】
この発明の態様によれば、
改札処理に必要な改札情報を有する券媒体の発行指示を受け付ける指示手段と、前記指示手段を介して発行指示を受け付けたのに基づいて、特定波長範囲の光によって読み取り可能な固有の識別子を有する原券媒体に対して、前記特定波長範囲の光を照射して前記識別子を読み取る読取手段と、前記読取手段により読み取られた前記識別子によって得られた値を鍵として、改札処理に必要な改札情報を暗号化した二次元コードを作成する二次元コード作成手段と、前記二次元コード作成手段により作成された二次元コードを前記原券媒体に印刷する印刷手段と、を備えたことを特徴とする券媒体処理装置が提供される。
【０００８】
この発明の他の態様によれば、
特定波長範囲の光によって読み取り可能な固有の識別子を有する券媒体に対して、前記特定波長範囲の光を照射して前記識別子を読み取る第１読取手段と、前記券媒体から二次元コードを読み取る第２読取手段と、前記第１読取手段により読み取られた前記識別子によって得られた値を鍵として、前記第２読取手段により読み取られた前記二次元コードから改札処理に必要な改札情報を復号化する復号化手段と、前記復号化手段により復号化された前記改札情報に基づいて改札処理を行う改札手段と、を備えたことを特徴とする券媒体処理装置が提供される。
【０００９】
また、この発明の他の態様によれば、
改札処理に必要な改札情報を有する券媒体の発行指示を受け付け、発行指示を受け付けたのに基づいて、特定波長範囲の光によって読み取り可能な固有の識別子を有する原券媒体に対して、前記特定波長範囲の光を照射して前記識別子を読み取り、読み取った前記識別子により得られた値を鍵として、改札情報を暗号化した二次元コードを作成し、作成した二次元コードを前記原券媒体に印刷する、ことを特徴とする券媒体処理方法が提供される。
【００１０】
また、この発明の他の態様によれば、
特定波長範囲の光によって読み取り可能な固有の識別子を有する券媒体に対して、前記特定波長範囲の光を照射して前記識別子を読み取り、前記券媒体から二次元コードを読み取り、読み取った前記識別子により得られた値を鍵として、読み取った前記二次元コードから改札処理に必要な改札情報を復号化し、復号化した前記改札情報に基づいて改札処理を行う、ことを特徴とする券媒体処理方法が提供される。
【発明の効果】
【００１１】
この発明によれば、複製困難な券媒体の発行及びこの券媒体を用いた改札処理を可能とする券媒体処理装置及び券媒体処理方法を提供することができる。
【図面の簡単な説明】
【００１２】
【図１】図１は、本実施形態における改札システムの一構成例を概略的に示すブロック図である。
【図２】図２は、図１に示した改札システムの券売機の一構成例を概略的に示すブロック図である。
【図３】図３は、図１に示した改札システムの改札機の一構成例を概略的に示すブロック図である。
【図４】図４は、本実施形態における券媒体の発行処理を説明するためのフローチャートである。
【図５】図５は、本実施形態における券媒体を用いた改札処理を説明するためのフローチャートである。
【図６】図６は、本実施形態における券媒体を用いた他の改札処理を説明するためのフローチャートである。
【発明を実施するための形態】
【００１３】
以下、一実施の形態について、図面を参照しながら詳細に説明する。なお、各図において、同一又は類似した機能を発揮する構成要素には同一の参照符号を付し、重複する説明は省略する。
【００１４】
特に、本実施形態においては、券媒体処理装置の一例として券売機及び改札機について説明するとともに、券媒体処理方法の一例として券売機における券媒体の発行方法及び改札機における券媒体を利用した改札処理について説明する。
【００１５】
図１は、本実施形態における改札システムの構成を概略的に示すブロック図である。
【００１６】
この改札システムは、改札機１や券売機２などの機器と、これらの機器に対する上位機器（あるいは外部機器）として機能するホストコンピュータ４と、を有している。図示した例の改札システムが駅務システムに相当する場合、改札機１や券売機２などの機器は、複数の駅にそれぞれ設置されており、また、ホストコンピュータ４は、各駅の駅サーバや鉄道会社各社の社局サーバなどに相当する。
【００１７】
改札機１は、駅構内や遊戯施設などの各種施設の改札口（あるいは出入口）などにおいて利用者が通行可能な改札通路に沿って配置されている。この改札機１は、利用者が所持している券媒体の券情報（あるいは改札情報）に基づいて改札処理、つまり施設内に入場する際の入場処理や施設内から出場する際の出場処理などの処理を行う。このような改札処理では、改札機１は、券媒体から読み取った券情報に基づいて改札通路の通行の可否を判定する。
【００１８】
券売機２は、利用者の操作に応じて券媒体を発行する発行業務を行う。より具体的には、券売機２は、施設内への入場券、各種乗車券、定期券、特急券、回数券などの各種券媒体を発行する。なお、詳述しないが、券売機２には、券媒体の券情報に基づいて利用額の不足分を精算し、精算券を発行する精算機も含まれる。
【００１９】
このような券売機２によって発行される券媒体の形態としては、券情報つまり改札処理に必要な改札情報を暗号化した二次元コードを有するものである。なお、券売機２は、二次元コードを有する券媒体のほかに、無線式の券媒体や磁気式の券媒体の発行が可能となるように構成されても良い。券売機２によって発行された券媒体は、いずれも上記した改札機１で利用可能となる。
【００２０】
ホストコンピュータ４は、図示した改札システム上の改札機１や券売機２などの下位の各種機器を監視し、各種機器における処理データを集計したり、各種機器の動作状況を管理したりする。このホストコンピュータ４は、制御部４１、通信部４２、メモリ４３などを有している。制御部４１は、ホストコンピュータ４の制御のみならず、改札システム全体の制御を行う。通信部４２は、各種機器との間で種々の情報の送受信を行うインターフェースである。メモリ４３は、ホストコンピュータ４を制御するための制御データなどの各種データに加えて、各種機器から送信された各種情報を記憶している。
【００２１】
次に、上述した改札システムに適用可能な券売機２の構成について説明する。
【００２２】
図２は、券売機２の構成を概略的に示すブロック図である。
【００２３】
すなわち、券売機２は、制御部２１、通信部２２、メモリ２３、表示部２４、指示手段及び入力手段として機能する操作部２５、音声出力部２６、金額処理部２７、搬送部２８、読取手段として機能する読取部２９、二次元コード作成手段として機能する二次元コード作成部３０、印刷手段として機能する印刷部３１などを有している。
【００２４】
制御部２１は、券媒体Ｔの発行指示を受け付けた場合に、券売機２を構成する各部の制御を行うものである。通信部２２は、上位のホストコンピュータ４との通信を行うインターフェースである。メモリ２３は、券売機２の制御に必要な制御データや、各種券媒体Ｔを発行する発行業務を行うのに必要な各種情報などを記憶している。
【００２５】
表示部２４は、液晶表示器などで構成されている。この表示部２４は、制御部２１による制御に基づいて、券売機２を利用する利用者に対して券媒体Ｔの発行業務に必要な各種操作を案内する画面や、発行する券媒体Ｔの内容などの種々の情報を案内する画面などを表示する。
【００２６】
操作部２５は、各種ボタンや、接触を検知したのに基づいて対応する情報を出力するタッチパネルなどで構成されている。この操作部２５は、制御部２１による制御に基づいて、利用者による各種操作の入力を受け付ける。より具体的には、操作部２５は、券媒体Ｔの発行指示を受け付けたり、改札情報を生成するために必要な情報、例えば、券媒体Ｔが乗車券である場合には乗車区間などの情報の入力を受け付けたりする。表示部２４及び操作部２５の少なくとも一部は、例えば、タッチパネル内蔵の液晶表示器などで構成される。
【００２７】
音声出力部２６は、制御部２１による制御に基づいて、券売機２を利用する利用者に対して券媒体Ｔの発行業務に必要な各種操作を案内する音声や、発行する券媒体Ｔの内容などの種々の情報を案内する音声などを図示しないスピーカーから出力する。金額処理部２７は、制御部２１による制御に基づいて、利用者によって投入された現金あるいは金額カード（すなわちストアードフェアカードやクレジットカードなど）の金額を処理する。
【００２８】
搬送部２８は、券媒体Ｔの発行指示を受け付けた場合に、制御部２１による制御に基づいて、券媒体Ｔとなる原券媒体５０を収容している収容部２８Ａから原券媒体５０を取り出し、読取部２９及び印刷部３１に搬送し、排出部２８Ｂから券媒体Ｔを排出する。収容部２８Ａに収容されている原券媒体５０は、複製困難な固有の識別子５１を有している。排出部２８Ｂから排出される券媒体Ｔは、識別子５１に加えて二次元コード５２を有している。
【００２９】
識別子５１は、ユニークな値に対応するバーコード等で形成されている。このような識別子５１は、特定波長範囲の光のみによって読取可能である。特定波長範囲とは、例えば、赤外光の波長範囲や、紫外光の波長範囲などである。このような識別子５１は、例えば、通常の複写機では複製できないインクなどを用いて形成されている。したがって、識別子５１は、通常、可視化されていない場合もあり得る。また、識別子５１は、ユニークな値に対応したホログラムなどであっても良く、特殊な材料及び特殊な加工技術を組み合わせて形成される。
【００３０】
このような識別子５１を有する原券媒体５０は、予め所定サイズにカットされた券紙に識別子５１をプレ印刷したものであっても良いし、券媒体発行時にカットした際に確実に識別子５１が含まれるように形成したロール紙であっても良い。
【００３１】
読取部２９は、制御部２１による制御に基づいて、搬送部２８により搬送された原券媒体５０から識別子５１を読み取る。より具体的には、読取部２９は、例えば、識別子５１を読み取るための特定波長範囲の光を発生する光源を備え、この光源からの光を原券媒体５０に向けて照射し、読取可能となった識別子５１を走査して光学的に読み取るものである。
【００３２】
二次元コード作成部３０は、制御部２１による制御に基づいて、改札情報を暗号化した二次元コードを作成する。より具体的には、二次元コード作成部３０は、操作部２５を介して入力された情報（乗車区間など）に基づいて改札情報（乗車区間や有効期限など）を生成する一方で、読取部２９により読み取られた識別子５１からユニークな値を得て、この値を鍵として、生成した改札情報を暗号化した（つまり、改札情報に対応した暗号を生成した）上で、これに対応した二次元コードを作成するものである。
【００３３】
印刷部３１は、制御部２１による制御に基づいて、搬送部２８により搬送された原券媒体５０に対して、二次元コード作成部３０により作成された二次元コード５２を印刷する。このとき、印刷部３１は、識別子５１と二次元コード５２とがそれぞれ後に読取可能となるように識別子５１に重ならない位置に二次元コード５２を印刷する。印刷部３１により印刷される二次元コード５２は、識別子５１と同様に、特定波長範囲の光のみによって読取可能であっても良いし、可視化されていても良い。
【００３４】
このような券売機２は、必要に応じて、磁気式の券媒体を処理する磁気券処理部や無線式の券媒体を処理するカードリーダライタなどを備えていても良い。これらの磁気券処理部及びカードリーダライタについては説明を省略する。
【００３５】
次に、上述した改札システムに適用可能な改札機１の構成について説明する。
【００３６】
図３は、改札機１の構成を概略的に示すブロック図である。
【００３７】
すなわち、改札機１は、制御部１１、通信部１２、メモリ１３、表示部１４、ドア制御部１５、第１読取手段として機能する第１読取部１６、第２読取手段として機能する第２読取部１７、復号化手段として機能する復号化部１８、改札手段として機能する改札処理部１９などを有している。
【００３８】
制御部１１は、券媒体Ｔによる改札処理に際して、改札機１を構成する各部の制御を行うものである。通信部１２は、上位のホストコンピュータ４との通信を行うインターフェースである。メモリ１３は、改札機１の制御に必要な制御データや、改札処理を行うのに必要な各種データなどを記憶している。
【００３９】
表示部１４は、液晶表示器などで構成されている。この表示部１４は、制御部１１による制御に基づいて、改札機１を利用する利用者に対して操作を案内する画面や有効性の判定結果などに対応した案内画面を表示する。ドア制御部１５は、改札機１に設けられているドア機構１５Ａの開閉を制御するものであり、有効性の判定結果に対応して改札通路を開放したり閉鎖したりする。
【００４０】
第１読取部１６は、制御部１１による制御に基づいて、利用者が持参する券媒体Ｔから識別子５１を読み取る。より具体的には、第１読取部１６は、利用者によって翳された券媒体Ｔから識別子５１を読み取り可能な所定の読取エリアを有している。このような第１読取部１６は、例えば、識別子５１を読み取るための特定波長範囲の光を発生する光源を備え、この光源からの光を読取エリアに翳された券媒体Ｔに向けて照射し、読取可能となった識別子５１を走査して光学的に読み取るものである。このような第１読取部１６は、先に説明した券売機２の読取部２９と実質的に同一構成のものである。
【００４１】
第２読取部１７は、制御部１１による制御に基づいて、利用者が持参する券媒体Ｔから二次元コード５２を読み取る。この第２読取部１７は、利用者によって翳された券媒体Ｔから二次元コード５２を読み取り可能な所定の読取エリアを有している。この第２読取部１７が有する読取エリアは、第１読取部１７が有する読取エリアと実質的に同一である。このような第２読取部１７は、例えば二次元コード５２が可視化されている場合には、二次元コード５２を光学的に読み取るスキャナなどによって構成される。また、二次元コード５２が可視化されていない場合、例えば識別子５１と同様の特定波長範囲の光によって読取可能に形成されている場合には、第１読取部１６が第２読取部１７の機能を兼ね備えていても良い。
【００４２】
復号化部１８は、制御部１１による制御に基づいて、二次元コード５２から改札処理に必要な改札情報を復号化する。より具体的には、復号化部１８は、第１読取部１６により読み取られた識別子５１からユニークな値を得て、この値を鍵として、第２読取部１７により読み取られた二次元コード５２から改札情報を復号化する（つまり、二次元コード５２から得られた暗号を解読する）。
【００４３】
改札処理部１９は、制御部１１による制御に基づいて、復号化部１８により復号化された改札情報に基づいて改札処理を行う。より具体的には、改札処理部１９は、券媒体Ｔが有する改札情報に基づいて券媒体Ｔの有効性、つまり、利用者の改札通路の通行を許可するか否かを判定する。また、改札処理部１９は、改札通路の通行を許可すると判定した場合に、固有の識別子５１を有する券媒体Ｔが改札処理済（つまり、入場済みあるいは出場済み）である旨の改札記録を生成する。
【００４４】
このような改札機１は、必要に応じて、磁気式の券媒体を処理する磁気券処理部や無線式の券媒体を処理するカードリーダライタなどを備えていても良い。これらの磁気券処理部及びカードリーダライタについては説明を省略する。
【００４５】
なお、制御部１１は、改札処理部１９による改札処理に際して、券媒体Ｔの識別子５１に対応したネガティブ情報の有無を判断する判断手段としての機能を有している。ここで、ネガティブ情報とは、券媒体Ｔを所持する利用者の改札通路の通過を許可しない情報であり、たとえば、入場処理に際して読み取った識別子５１に対応する券媒体Ｔが既に入場済である旨の情報あるいは既に出場済である旨の情報などが相当し、また、出場処理に際して識別子５１に対応する券媒体Ｔが既に出場済である旨の情報などが相当する。
【００４６】
次に、券媒体Ｔの発行処理について券売機２の各部の動作とともに説明する。
【００４７】
図４は、本実施形態における券媒体Ｔの発行処理を説明するためのフローチャートである。
【００４８】
まず、制御部２１は、券媒体Ｔの発行処理を開始するか否かを判断する（ＳＴ１１）。すなわち、制御部２１は、操作部２５を介した券媒体Ｔの発行指示の入力や改札情報の入力を受付可能な状態において、発行指示の入力や改札情報の入力を受け付け、且つ、金額処理部２７を制御して券媒体Ｔを発行するのに必要な対価に相当する金額を処理した場合に、当該券媒体Ｔの発行処理を開始するものと判断する（ＳＴ１１、ＹＥＳ）。
【００４９】
そして、制御部２１は、搬送部２８を制御して、収容部２８Ａから原券媒体５０を取り出す（ＳＴ１２）。取り出される原券媒体５０には、先に説明したように、固有の識別子５１がプレ印刷されている。搬送部２８は、収容部２８Ａが予め所定サイズにカットされた原券媒体５０を収容している場合には、収容部２８Ａから１枚の原券媒体５０を送出する。また、搬送部２８は、収容部２８Ａがロール紙を収容している場合には、ロール紙を所定サイズにカットして得られた原券媒体５０を送出する。そして、搬送部２８は、原券媒体５０を読取部２９に搬送する。
【００５０】
そして、制御部２１は、読取部２９を制御して、搬送部２８により搬送された原券媒体５０から識別子５１を読み取る（ＳＴ１３）。すなわち、読取部２９は、識別子５１を有する原券媒体５０に対して、特定波長範囲の光を照射して識別子５１を読み取り、識別子５１の読み取りが正常に完了したのに伴い、読み取った識別子５１により得られた値を二次元コード作成部３０に出力する。
【００５１】
そして、制御部２１は、二次元コード作成部３０を制御して、二次元コードを作成する（ＳＴ１４）。すなわち、二次元コード作成部３０は、識別子５１により得られた値が読取部２９から入力されたのに伴い、この値を鍵として改札情報を暗号化し、対応する二次元コードを作成する。そして、二次元コード作成部３０は、作成した二次元コードに対応するデータを印刷部３１に出力する。
【００５２】
そして、制御部２１は、印刷部３１を制御して、搬送部２８により搬送された原券媒体５０に対して、二次元コード５２を印刷する（ＳＴ１５）。すなわち、印刷部３１は、二次元コードに対応するデータが二次元コード作成部３０から入力されたのに伴い、このデータに基づいて原券媒体５０の所定位置に二次元コード５２を印刷する。ここでの所定位置とは、例えば、プレ印刷されている識別子５１に重ならない位置である。本実施の形態において、識別子５１がプレ印刷された原券媒体５０に二次元コード５２を印刷したものが券媒体Ｔに相当する。
【００５３】
そして、制御部２１は、搬送部２８を制御して、識別子５１及び二次元コード５２を有する券媒体Ｔを排出部２８Ｂから排出する（ＳＴ１６）。
【００５４】
以上のようなステップを経て券媒体Ｔの発行処理を終了する。
【００５５】
次に、券媒体Ｔを用いた改札処理について改札機１の各部の動作とともに説明する。
【００５６】
図５は、本実施形態における券媒体Ｔを用いた改札処理を説明するためのフローチャートである。
【００５７】
まず、制御部１１は、券媒体Ｔが所定の読取エリアに翳されたと判定したのに基づいて（ＳＴ２１、ＹＥＳ）、第１読取部１６を制御して、券媒体Ｔから識別子５１を読み取る（ＳＴ２２）。すなわち、第１読取部１６は、券媒体Ｔに対して、特定波長範囲の光を照射して識別子５１を読み取り、識別子５１の読み取りが正常に完了したのに伴い、読み取った識別子５１により得られた値を復号化部１８に出力する。
【００５８】
そして、制御部１１は、第２読取部１７を制御して、券媒体Ｔから二次元コード５２を読み取る（ＳＴ２３）。すなわち、第２読取部１７は、券媒体Ｔに対して、特定波長範囲の光を照射して二次元コード５２を読み取り、二次元コード５２の読み取りが正常に完了したのに伴い、読取結果を復号化部１８に出力する。
【００５９】
そして、制御部１１は、復号化部１８を制御して、第１読取部１６から入力された値を鍵として、第２読取部１７から得られた読取結果を復号化する（ＳＴ２４）。すなわち、復号化部１８は、識別子５１から得たユニークな値を鍵として、二次元コード５２から改札情報を復号化する。そして、復号化部１８は、復号化した改札情報を改札処理部１９に出力する。
【００６０】
そして、制御部１１は、改札処理部１９を制御して、復号化部１８から入力された改札情報に基づいて券媒体Ｔの有効性、つまり、利用者の改札通路の通行を許可するか否かを判定する（ＳＴ２５）。制御部１１は、改札処理部１９により通行を許可する旨の判定がなされた場合には（ＳＴ２６、ＹＥＳ）、ドア制御部１５を制御してドア機構１５Ａを駆動し、改札通路を開放する（ＳＴ２７）。また、制御部１１は、改札処理部１９により通行を許可しない旨の判定がなされた場合には（ＳＴ２６、ＮＯ）、ドア制御部１５を制御してドア機構１５Ａを駆動し、改札通路を閉鎖する（ＳＴ２８）。
【００６１】
以上のようなステップを経て券媒体Ｔによる改札処理を終了する。
【００６２】
次に、乗車券や入場券などとして機能する券媒体Ｔを用いた改札処理について改札機１の各部の動作とともに説明する。
【００６３】
図６は、本実施形態における同一券媒体Ｔを用いた重複入場及び重複出場を防止するための他の改札処理を説明するためのフローチャートである。なお、図５のフローチャートで説明した改札処理と同一工程については詳細な説明を省略する。
【００６４】
まず、制御部１１は、券媒体Ｔが所定の読取エリアに翳されたと判定したのに基づいて（ＳＴ３１、ＹＥＳ）、第１読取部１６を制御して、券媒体Ｔから識別子５１を読み取る（ＳＴ３２）。そして、制御部１１は、第２読取部１７を制御して、券媒体Ｔから二次元コード５２を読み取る（ＳＴ３３）。
【００６５】
そして、制御部１１は、第１読取部１６によって読み取られた識別子５１に対応したネガティブ情報の有無を判断する（ＳＴ３４）。この場合、制御部１１は、ホストコンピュータ４に対して読み取った識別子５１を元に問い合わせ、対応するネガティブ情報の有無の結果をホストコンピュータ４から受け取っても良いし、予めホストコンピュータ４から改札機１に配信されたネガティブ情報の中から、読み取った識別子５１に対応するネガティブ情報を検索し、その検索結果に基づいて、ネガティブ情報の有無の判断結果としてもよい。
【００６６】
そして、制御部１１は、読み取った識別子５１に対応したネガティブ情報が無いと判断したのに基づいて（ＳＴ３４、ＮＯ）、復号化部１８を制御して、第１読取部１６から入力された値を鍵として、第２読取部１７から得られた読取結果を復号化する（ＳＴ３５）。
【００６７】
そして、制御部１１は、改札処理部１９を制御して、復号化部１８から入力された改札情報に基づいて券媒体Ｔの有効性を判定する（ＳＴ３６）。制御部１１は、改札処理部１９により通行を許可する旨の判定がなされた場合には（ＳＴ３７、ＹＥＳ）、ドア制御部１５を制御してドア機構１５Ａを駆動し、改札通路を開放する（ＳＴ３８）。また、制御部１１は、改札処理部１９により通行を許可しない旨の判定がなされた場合には（ＳＴ３７、ＮＯ）、ドア制御部１５を制御してドア機構１５Ａを駆動し、改札通路を閉鎖する（ＳＴ３９）。
【００６８】
一方、制御部１１は、ステップＳＴ３４において、読み取った識別子５１に対応したネガティブ情報が有ると判断したのに基づいて（ＳＴ３４、ＹＥＳ）、ドア制御部１５を制御してドア機構１５Ａを駆動し、改札通路を閉鎖する（ＳＴ３９）。
【００６９】
以上のようなステップを経て券媒体Ｔによる改札処理を終了する。
【００７０】
なお、本実施形態では、ステップＳＴ３４において、制御部１１は、第１読取部１６によって読み取られた識別子５１に対応したネガティブ情報の有無を判断したが、第２読取部１７によって読み取られた二次元コード５２を基に対応したネガティブ情報の有無を判断しても良い。
【００７１】
以上説明したように、本実施形態によれば、券媒体Ｔの複製が困難となる。券媒体Ｔが有する複製困難な識別子５１は、原券媒体を製造する際に大量に一括してプレ印刷されるため、券売機２での券媒体Ｔの発行時に時間がかかるとか、コストが高くなるとかいった課題を回避することができる。
【００７２】
また、このような券媒体Ｔを用いた改札処理では、券媒体Ｔが不正に複製された場合を想定した不正監視を行う必要がなくなる。このため、ホストコンピュータ４などの改札機１よりも上位の機器で不正監視を行うシステムと比較して、負荷の軽減、導入コストの低減、処理時間の短縮が可能となる。
【００７３】
また、改札機１などの券媒体処理装置は、利用者によって翳された券媒体Ｔから識別子５１及び二次元コード５２を読み取る構成であるため、券媒体Ｔを機体内に取り込んで搬送するといった機構が不要であり、装置本体のコストの低減が可能となる。
【００７４】
また、券媒体Ｔが定期券などの有効期限内に複数回の使用が許可されたものである場合を除いては、使用済みの券媒体Ｔに対して以後の券媒体Ｔを所持する利用者の改札通路の通過を許可しないネガティブ情報（例えば、一度の入場処理が完了したのに基づいて入場済みである旨のネガティブ情報や、一度の出場処理が完了したのに基づいて出場済みである旨のネガティブ情報）を生成し管理することにより、同一券媒体Ｔを用いた重複した使用を防止することができる。
【００７５】
したがって、複製困難な券媒体の発行及びこの券媒体を用いた改札処理を可能とする券媒体処理装置及び券媒体処理方法を提供することができる。
【００７６】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
以下に本件出願当初の特許請求の範囲に記載された発明を付記する。
［１］  
改札処理に必要な改札情報を有する券媒体の発行指示を受け付ける指示手段と、
前記指示手段を介して発行指示を受け付けたのに基づいて、特定波長範囲の光によって読み取り可能な固有の識別子を有する原券媒体に対して、前記特定波長範囲の光を照射して前記識別子を読み取る読取手段と、
前記読取手段により読み取られた前記識別子によって得られた値を鍵として、改札情報を暗号化した二次元コードを作成する二次元コード作成手段と、
前記二次元コード作成手段により作成された二次元コードを前記原券媒体に印刷する印刷手段と、
を備えたことを特徴とする券媒体処理装置。
［２］  
さらに、乗車区間を含む改札情報の入力を受け付ける入力手段を備えたことを特徴とする［１］に記載の券媒体処理装置。
［３］  
特定波長範囲の光によって読み取り可能な固有の識別子を有する券媒体に対して、前記特定波長範囲の光を照射して前記識別子を読み取る第１読取手段と、
前記券媒体から二次元コードを読み取る第２読取手段と、
前記第１読取手段により読み取られた前記識別子によって得られた値を鍵として、前記第２読取手段により読み取られた前記二次元コードから改札処理に必要な改札情報を復号化する復号化手段と、
前記復号化手段により復号化された前記改札情報に基づいて改札処理を行う改札手段と、
を備えたことを特徴とする券媒体処理装置。
［４］  
特定波長範囲の光によって読み取り可能な固有の識別子を有する券媒体に対して、前記特定波長範囲の光を照射して前記識別子を読み取る第１読取手段と、
前記券媒体から二次元コードを読み取る第２読取手段と、
前記第１読取手段により読み取られた前記識別子に対応したネガティブ情報の有無を判断する判断手段と、
前記判断手段により前記識別子に対応したネガティブ情報がないと判断されたのに基づいて、前記第１読取手段により読み取られた前記識別子によって得られた値を鍵として、前記第２読取手段により読み取られた前記二次元コードから改札処理に必要な改札情報を復号化する復号化手段と、
前記復号化手段により復号化された前記改札情報に基づいて改札処理を行う改札手段と、
前記判断手段により前記識別子に対応したネガティブ情報があると判断されたのに基づいて、改札通路を閉鎖するドア機構と、
を備えたことを特徴とする券媒体処理装置。
［５］  
改札処理に必要な改札情報を有する券媒体の発行指示を受け付け、
発行指示を受け付けたのに基づいて、特定波長範囲の光によって読み取り可能な固有の識別子を有する原券媒体に対して、前記特定波長範囲の光を照射して前記識別子を読み取り、
読み取った前記識別子により得られた値を鍵として、改札情報を暗号化した二次元コードを作成し、
作成した二次元コードを前記原券媒体に印刷する、
ことを特徴とする券媒体処理方法。
［６］  
特定波長範囲の光によって読み取り可能な固有の識別子を有する券媒体に対して、前記特定波長範囲の光を照射して前記識別子を読み取り、
前記券媒体から二次元コードを読み取り、
読み取った前記識別子により得られた値を鍵として、読み取った前記二次元コードから改札処理に必要な改札情報を復号化し、
復号化した前記改札情報に基づいて改札処理を行う、
ことを特徴とする券媒体処理方法。
［７］  
特定波長範囲の光によって読み取り可能な固有の識別子を有する券媒体に対して、前記特定波長範囲の光を照射して前記識別子を読み取り、
前記券媒体から二次元コードを読み取り、
読み取った前記識別子に対応したネガティブ情報の有無を判断し、
前記識別子に対応したネガティブ情報がないと判断したのに基づいて、読み取った前記識別子により得られた値を鍵として、読み取った前記二次元コードから改札処理に必要な改札情報を復号化し、
復号化した前記改札情報に基づいて改札処理を行い、
前記識別子に対応したネガティブ情報があると判断されたのに基づいて、改札通路を閉鎖する、
ことを特徴とする券媒体処理方法。
【符号の説明】
【００７７】
１…改札機（券媒体処理装置）
２…券売機（券媒体処理装置）
１１…制御部（判断手段）
１６…第１読取部（第１読取手段）
１７…第２読取部（第２読取手段）
１８…復号化部（復号化手段）
１９…改札処理部（改札手段）
２５…操作部（指示手段、入力手段）
２９…読取部（読取手段）
３０…二次元コード作成部（二次元コード作成手段）
３１…印刷部（印刷手段）
【図１】
0005459849.tif 000002
【図２】
0005459849.tif 000003
【図３】
0005459849.tif 000004
【図４】
0005459849.tif 000005
【図５】
0005459849.tif 000006
【図６】
0005459849.tif 000007